(57)【要約】【課題】誤配送された大きいサイズのパケットの転送処理を回避する。【解決手段】パケット受信ポート１１が他の装置からＶＬＡＮパケットを受信すると、パケットサイズ監視部１４は、パケット受信ポート１１が受信したＶＬＡＮパケットのパケットサイズを取得し、ＶＬＡＮ監視部１３は、パケット受信ポート１１が受信したＶＬＡＮパケットのヘッダに含まれるＶＬＡＮ  ＩＤを取得する。次に、パケット転送処理部１２は、ＶＬＡＮ監視部１３が取得したＶＬＡＮ  ＩＤに対応するＭＴＵサイズをＭＴＵサイズ設定部１５から取得し、パケット送信ポート１６は、パケットサイズ監視部１４が取得したパケットサイズが、パケット転送処理部１２が取得したＭＴＵサイズ以下である場合に、パケット受信ポート１１が受信したＶＬＡＮパケットを転送する。【選択図】図１
2010239293.tif 000002
【特許請求の範囲】
【請求項１】
複数のネットワークに接続され、パケットの処理を行うパケット通信装置であって、
他の装置から前記パケットを受信する受信手段と、
前記受信手段が受信したパケットのパケットサイズを取得するパケットサイズ取得手段と、
前記受信手段が受信したパケットのヘッダに含まれるネットワーク識別子を取得するネットワーク識別子取得手段と、
複数のネットワーク識別子に対して、当該ネットワーク識別子が示すネットワークにおいて転送を許可するパケットサイズの最大値を関連付けて記憶する最大パケットサイズ記憶手段と、
前記最大パケットサイズ記憶手段が記憶する複数のネットワーク識別子に対するパケットサイズの最大値の中から、前記ネットワーク識別子取得手段が取得したネットワーク識別子に対応するパケットサイズの最大値を取得する最大パケットサイズ取得手段と、
前記パケットサイズ取得手段が取得したパケットサイズが、前記最大パケットサイズ取得手段が取得したパケットサイズの最大値以下である場合に、前記受信手段が受信したパケットを転送する送信手段と、
を備えることを特徴とするパケット通信装置。
【請求項２】
前記パケットサイズ取得手段が取得したパケットサイズが、前記最大パケットサイズ取得手段が取得したパケットサイズの最大値より大きい場合に、前記受信手段が受信したパケットを廃棄する廃棄手段をさらに備えることを特徴とする請求項１に記載のパケット通信装置。
【請求項３】
前記パケットサイズ取得手段が取得したパケットサイズが、前記最大パケットサイズ取得手段が取得したパケットサイズの最大値より大きい場合に、前記受信手段が受信したパケットを、パケットサイズが前記最大値以下となる複数のパケットに分割する分割手段をさらに備え、
前記送信手段は、前記分割手段が分割したパケットを転送する、
ことを特徴とする請求項１に記載のパケット通信装置。
【請求項４】
複数のネットワークに接続され、パケットの処理を行い、複数のネットワーク識別子に対して、当該ネットワーク識別子が示すネットワークにおいて転送を許可するパケットサイズの最大値を関連付けて記憶する最大パケットサイズ記憶手段を備えるパケット通信装置を用いたパケット通信方法であって、
受信手段は、他の装置から前記パケットを受信し、
パケットサイズ取得手段は、前記受信手段が受信したパケットのパケットサイズを取得し、
ネットワーク識別子取得手段は、前記受信手段が受信したパケットのヘッダに含まれる前記ネットワーク識別子を取得し、
最大パケットサイズ取得手段は、前記最大パケットサイズ記憶手段が記憶する複数のネットワーク識別子に対するパケットサイズの最大値の中から、前記ネットワーク識別子取得手段が取得したネットワーク識別子に対応するパケットサイズの最大値を取得し、
送信手段は、前記パケットサイズ取得手段が取得したパケットサイズが、前記最大パケットサイズ取得手段が取得したパケットサイズの最大値以下である場合に、前記受信手段が受信したパケットを転送する、
ことを特徴とするパケット通信方法。
【請求項５】
複数のネットワークに接続され、パケットの処理を行い、複数のネットワーク識別子に対して、当該ネットワーク識別子が示すネットワークにおいて転送を許可するパケットサイズの最大値を関連付けて記憶する最大パケットサイズ記憶手段を備えるパケット通信装置を、
他の装置から前記パケットを受信する受信手段、
前記受信手段が受信したパケットのパケットサイズを取得するパケットサイズ取得手段、
前記受信手段が受信したパケットのヘッダに含まれる前記ネットワーク識別子を取得するネットワーク識別子取得手段、
前記最大パケットサイズ記憶手段が記憶する複数のネットワーク識別子に対するパケットサイズの最大値の中から、前記ネットワーク識別子取得手段が取得したネットワーク識別子に対応するパケットサイズの最大値を取得する最大パケットサイズ取得手段、
前記パケットサイズ取得手段が取得したパケットサイズが、前記最大パケットサイズ取得手段が取得したパケットサイズの最大値以下である場合に、前記受信手段が受信したパケットを転送する送信手段、
として動作させるためのプログラム。
【発明の詳細な説明】
【技術分野】
【０００１】
本発明は、複数のネットワークに接続され、パケットの処理を行うパケット通信装置、パケット通信方法及びプログラムに関する。
【背景技術】
【０００２】
従来、ブロードキャストパケットによるネットワークの混雑の回避や、ネットワークの特定の部分へ運用ポリシーの適用のために、物理的な接続形態とは独立に、端末の仮想的なグループを設定するＶＬＡＮ（Virtual Local Area Network：仮想構内通信網）という技術が用いられている。ＶＬＡＮによるグループの設定は、スイッチ等のパケット通信装置の内部でネットワークを複数のグループに分割することで行われる。
従来のパケット通信装置の例として、例えば特許文献１を参照すると良い。
【０００３】
図４は、従来のパケット通信装置の構成を示す概略ブロック図である。
従来のパケット通信装置８０は、パケット受信ポート８１、パケット転送処理部８２、パケットサイズ監視部８３、ＭＴＵ（Maximum Transmission Unit：最大転送ユニット）サイズ設定部８４、パケット送信ポート８５を備える。
パケット受信ポート８１は、他の装置から複数のＶＬＡＮパケットを受信する。
パケット転送処理部８２は、ＶＬＡＮパケットを転送するか廃棄するかの何れかの処理を行う。
パケットサイズ監視部８３は、ＶＬＡＮパケットの受信パケットサイズを取得する。
ＭＴＵサイズ設定部８４は、パケット通信装置８０が１回の転送で送信できるデータの最大値を示すＭＴＵサイズを記憶する。ＭＴＵサイズ設定部８４が記憶するＭＴＵサイズは、管理制御装置９０等によって設定される。
パケット送信ポート８５は、複数のＶＬＡＮパケットを転送する。
【０００４】
次に、従来のパケット通信装置８０の動作を説明する。
パケット受信ポート８１がＶＬＡＮパケットを受信すると、パケットサイズ監視部８３は、ＶＬＡＮパケットのパケットサイズを取得する。パケットサイズ監視部８３がパケットサイズを取得すると、パケット転送処理部８２は、ＭＴＵサイズ設定部８４からＭＴＵサイズを取得し、取得したパケットサイズと比較する。パケット転送処理部８２は、取得したパケットサイズがＭＴＵサイズ以下である場合、パケット送信ポート８５を介してパケットを転送し、取得したパケットサイズがＭＴＵサイズより大きい場合、パケットを廃棄する。
【０００５】
従来のパケット通信装置８０のＭＴＵサイズ設定部は、１つのポートに対してＭＴＵサイズを１つ記憶している。そのため、１つのポートに複数のＶＬＡＮが割り当てられる場合、ＭＴＵサイズとして複数のＶＬＡＮの最も大きいパケットサイズが転送可能となる値を設定しておく必要がある。
【先行技術文献】
【特許文献】
【０００６】
【特許文献１】特開平５−１５３１３１号公報
【発明の概要】
【発明が解決しようとする課題】
【０００７】
しかしながら、従来のパケット通信装置は、１つのポートに対して最も大きいパケットサイズが転送可能となるＭＴＵサイズを１つだけ記憶しているため、正常時にあるサイズ以下のパケットしか流れないように設定されているＶＬＡＮにおいて、サイズの大きいパケットが誤配送された場合、そのパケットを廃棄することができず、転送処理に時間がかかってしまうという問題があった。また、本来は廃棄すべきパケットを下流のネットワークに転送してしまうため、下流のネットワークにおいて帯域が無駄に使用され、ネットワークの遅延が発生してしまう可能性があった。
本発明は上記の点に鑑みてなされたものであり、その目的は、誤配送された大きいサイズのパケットの転送処理を回避するパケット通信装置、パケット通信方法及びプログラムを提供することにある。
【課題を解決するための手段】
【０００８】
本発明は上記の課題を解決するためになされたものであり、複数のネットワークに接続され、パケットの処理を行うパケット通信装置であって、他の装置から前記パケットを受信する受信手段と、前記受信手段が受信したパケットのパケットサイズを取得するパケットサイズ取得手段と、前記受信手段が受信したパケットのヘッダに含まれるネットワーク識別子を取得するネットワーク識別子取得手段と、複数のネットワーク識別子に対して、当該ネットワーク識別子が示すネットワークにおいて転送を許可するパケットサイズの最大値を関連付けて記憶する最大パケットサイズ記憶手段と、前記最大パケットサイズ記憶手段が記憶する複数のネットワーク識別子に対するパケットサイズの最大値の中から、前記ネットワーク識別子取得手段が取得したネットワーク識別子に対応するパケットサイズの最大値を取得する最大パケットサイズ取得手段と、前記パケットサイズ取得手段が取得したパケットサイズが、前記最大パケットサイズ取得手段が取得したパケットサイズの最大値以下である場合に、前記受信手段が受信したパケットを転送する送信手段と、を備えることを特徴とする。
【０００９】
また、本発明は、複数のネットワークに接続され、パケットの処理を行い、複数のネットワーク識別子に対して、当該ネットワーク識別子が示すネットワークにおいて転送を許可するパケットサイズの最大値を関連付けて記憶する最大パケットサイズ記憶手段を備えるパケット通信装置を用いたパケット通信方法であって、受信手段は、他の装置から前記パケットを受信し、パケットサイズ取得手段は、前記受信手段が受信したパケットのパケットサイズを取得し、ネットワーク識別子取得手段は、前記受信手段が受信したパケットのヘッダに含まれる前記ネットワーク識別子を取得し、最大パケットサイズ取得手段は、前記最大パケットサイズ記憶手段が記憶する複数のネットワーク識別子に対するパケットサイズの最大値の中から、前記ネットワーク識別子取得手段が取得したネットワーク識別子に対応するパケットサイズの最大値を取得し、送信手段は、前記パケットサイズ取得手段が取得したパケットサイズが、前記最大パケットサイズ取得手段が取得したパケットサイズの最大値以下である場合に、前記受信手段が受信したパケットを転送する、ことを特徴とする。
【００１０】
また、本発明は、複数のネットワークに接続され、パケットの処理を行い、複数のネットワーク識別子に対して、当該ネットワーク識別子が示すネットワークにおいて転送を許可するパケットサイズの最大値を関連付けて記憶する最大パケットサイズ記憶手段を備えるパケット通信装置を、他の装置から前記パケットを受信する受信手段、前記受信手段が受信したパケットのパケットサイズを取得するパケットサイズ取得手段、前記受信手段が受信したパケットのヘッダに含まれる前記ネットワーク識別子を取得するネットワーク識別子取得手段、前記最大パケットサイズ記憶手段が記憶する複数のネットワーク識別子に対するパケットサイズの最大値の中から、前記ネットワーク識別子取得手段が取得したネットワーク識別子に対応するパケットサイズの最大値を取得する最大パケットサイズ取得手段、前記パケットサイズ取得手段が取得したパケットサイズが、前記最大パケットサイズ取得手段が取得したパケットサイズの最大値以下である場合に、前記受信手段が受信したパケットを転送する送信手段、として動作させるためのプログラムである。
【発明の効果】
【００１１】
本発明によれば、ネットワーク毎に転送を許可するパケットサイズの最大値を設定し、受信したパケットのパケットサイズが、送信先のネットワークにおけるパケットサイズの最大値以下である場合にのみ転送処理を行う。これにより、誤配送された大きいサイズのパケットにより、本来不要な転送処理が発生することを防止することができる。
【図面の簡単な説明】
【００１２】
【図１】本発明の一実施形態によるパケット通信装置の構成を示す概略ブロック図である。
【図２】ＭＴＵサイズ設定部が記憶するＭＴＵテーブルを示す図である。
【図３】パケット通信装置の動作を示すフローチャートである。
【図４】従来のパケット通信装置の構成を示す概略ブロック図である。
【発明を実施するための形態】
【００１３】
以下、図面を参照しながら本発明の実施形態について詳しく説明する。
図１は、本発明の一実施形態によるパケット通信装置の構成を示す概略ブロック図である。
パケット通信装置１０は、パケット受信ポート１１（受信手段）、パケット転送処理部１２（最大パケットサイズ取得手段、廃棄手段）、ＶＬＡＮ監視部１３（ネットワーク識別子取得手段）、パケットサイズ監視部１４（パケットサイズ取得手段）、ＭＴＵサイズ設定部１５（最大パケットサイズ記憶部）、パケット送信ポート１６（送信手段）を備える。
パケット受信ポート１１は、他の装置から複数のＶＬＡＮパケットを受信する。
パケット転送処理部１２は、ＶＬＡＮパケットを転送するか廃棄するかの何れかの処理を行う。
ＶＬＡＮ監視部１３は、ＶＬＡＮパケットのヘッダに含まれるＶＬＡＮ  ＩＤ（ネットワーク識別子）を取得する。ＶＬＡＮ  ＩＤは、ＶＬＡＮパケットの送信先のＶＬＡＮを示す識別子である。
パケットサイズ監視部１４は、ＶＬＡＮパケットの受信パケットサイズを取得する。
ＭＴＵサイズ設定部１５は、パケット通信装置１０を経由するＶＬＡＮを示すＶＬＡＮ  ＩＤと、ＶＬＡＮにおいて１回の転送で送信できるデータの最大値を示すＭＴＵサイズとを関連付けて格納するＭＴＵテーブルを記憶する。ＭＴＵサイズ設定部１５が記憶する各ＶＬＡＮのＭＴＵサイズは、管理制御装置２０等によって設定される。
パケット送信ポート１６は、複数のＶＬＡＮパケットを転送する。
【００１４】
図２は、ＭＴＵサイズ設定部が記憶するＭＴＵテーブルを示す図である。
ＭＴＵサイズ設定部１５が記憶するＭＴＵテーブルは、ＶＬＡＮ  ＩＤとＭＴＵサイズとを関連付けて記憶する。図２に示すＭＴＵテーブルは、ＶＬＡＮ  ＩＤが１００のＶＬＡＮのＭＴＵサイズは６４バイト、ＶＬＡＮ  ＩＤが１５０のＶＬＡＮのＭＴＵサイズは２５６バイトというように、ＶＬＡＮ  ＩＤ毎に個別にＭＴＵサイズが設定されている。また、個別にＭＴＵサイズが設定されていないＶＬＡＮは、共通のＭＴＵサイズとして１５００バイトが設定されている。
【００１５】
そして、パケット通信装置１０において、パケット受信ポート１１が他の装置からＶＬＡＮパケットを受信すると、パケットサイズ監視部１４は、パケット受信ポート１１が受信したＶＬＡＮパケットのパケットサイズを取得し、ＶＬＡＮ監視部１３は、パケット受信ポート１１が受信したＶＬＡＮパケットのヘッダに含まれるＶＬＡＮ  ＩＤを取得する。次に、パケット転送処理部１２は、ＶＬＡＮ監視部１３が取得したＶＬＡＮ  ＩＤに対応するＭＴＵサイズをＭＴＵサイズ設定部１５から取得し、パケット送信ポート１６は、パケットサイズ監視部１４が取得したパケットサイズが、パケット転送処理部１２が取得したＭＴＵサイズ以下である場合に、パケット受信ポート１１が受信したＶＬＡＮパケットを転送する。
これにより、誤配送された大きいサイズのＶＬＡＮパケットにより、本来不要な転送処理が発生することを防止することができる。
【００１６】
次に、パケット通信装置１０の動作を説明する。
図３は、パケット通信装置の動作を示すフローチャートである。
まず、他の装置がパケット通信装置１０にＶＬＡＮパケットを送信すると、パケット受信ポート１１は、ＶＬＡＮパケットを受信する（ステップＳ１）。パケット受信ポート１１がＶＬＡＮパケットを受信すると、ＶＬＡＮ監視部１３は、受信したＶＬＡＮパケットのヘッダに含まれるＶＬＡＮ  ＩＤを取得する（ステップＳ２）。ＶＬＡＮ監視部１３がＶＬＡＮ  ＩＤを取得すると、パケットサイズ監視部１４は、受信したＶＬＡＮパケットのパケットサイズをパケットのヘッダから取得する（ステップＳ３）。
【００１７】
パケットサイズ監視部１４がパケットサイズを取得すると、パケット転送処理部１２は、ＭＴＵサイズ設定部１５が記憶するＭＴＵテーブルに、個別のＶＬＡＮに対するＭＴＵサイズが設定されているか否かを判定する（ステップＳ４）。個別のＶＬＡＮに対するＭＴＵサイズが設定されているか否かは、ＭＴＵテーブルに複数のアカウントが登録されているか否かによって判定する。パケット転送処理部１２は、ＭＴＵテーブルに個別のＶＬＡＮに対するＭＴＵサイズが設定されていると判定した場合（ステップＳ４：ＹＥＳ）、ＶＬＡＮ監視部１３が取得したＶＬＡＮ  ＩＤに対応するＭＴＵサイズがＭＴＵテーブルに設定されているか否かを判定する（ステップＳ５）。
【００１８】
パケット転送処理部１２は、ＶＬＡＮ監視部１３が取得したＶＬＡＮ  ＩＤに対応するＭＴＵサイズがＭＴＵテーブルに設定されていると判定した場合（ステップＳ５：ＹＥＳ）、ＭＴＵテーブルから、ＶＬＡＮ監視部１３が取得したＶＬＡＮ  ＩＤに個別に設定されたＭＴＵサイズを取得する（ステップＳ６）。
他方、パケット転送処理部１２は、ＭＴＵテーブルに個別のＶＬＡＮに対するＭＴＵサイズが設定されていないと判定した場合（ステップＳ４：ＮＯ）、またはＶＬＡＮ監視部１３が取得したＶＬＡＮ  ＩＤに対応するＭＴＵサイズが設定されていないと判定した場合（ステップＳ５：ＮＯ）、ＭＴＵテーブルから、共通ＭＴＵサイズを取得する（ステップＳ７）。
【００１９】
パケット転送処理部１２は、ステップＳ６またはステップＳ７でＭＴＵサイズを取得すると、パケットサイズ監視部１４が取得したパケットサイズと取得したＭＴＵサイズとを比較する（ステップＳ８）。
パケット転送処理部１２が、受信したＶＬＡＮパケットのパケットサイズがＭＴＵサイズ以下であると判定した場合（ステップＳ８：ＹＥＳ）、パケット送信ポート１６は、受信したＶＬＡＮパケットを転送する（ステップＳ９）。
他方、パケット転送処理部１２は、受信したＶＬＡＮパケットのパケットサイズがＭＴＵサイズより大きいと判定した場合（ステップＳ８：ＮＯ）、受信したＶＬＡＮパケットを廃棄する（ステップＳ１０）。
【００２０】
次に、パケット通信装置１０の動作の具体的な例を説明する。
まず、他の装置がパケット通信装置１０にＶＬＡＮ  ＩＤ：１００、パケットサイズ：３００のＶＬＡＮパケットを送信すると、パケット受信ポート１１は、ＶＬＡＮパケットを受信する。次に、ＶＬＡＮ監視部１３は、受信したＶＬＡＮパケットのＶＬＡＮ  ＩＤを取得し、パケットサイズ監視部１４は、受信したＶＬＡＮパケットのパケットサイズを取得する。
【００２１】
次に、パケット転送処理部１２は、ＭＴＵサイズ設定部１５が記憶するＭＴＵテーブルに、個別のＶＬＡＮに対するＭＴＵサイズが設定されているか否かを判定する。
図２に示すように、ＭＴＵテーブルには個別のＶＬＡＮに対するＭＴＵサイズが設定されているため、パケット転送処理部１２は、ＶＬＡＮ監視部１３が取得したＶＬＡＮ  ＩＤに対応するＭＴＵサイズが設定されているか否かを判定する。
図２に示すように、ＶＬＡＮ  ＩＤ：１００がＭＴＵテーブルに格納されているため、ＭＴＵテーブルから、ＶＬＡＮ監視部１３が取得したＶＬＡＮ  ＩＤ：１００のＭＴＵサイズ：６４を取得する。
【００２２】
パケット転送処理部１２は、ＭＴＵサイズを取得すると、パケットサイズ監視部１４が取得したパケットサイズと取得したＭＴＵサイズとを比較する。このとき、受信したパケットのパケットサイズが３００、ＭＴＵサイズが６４であるため、パケット転送処理部１２は、受信したパケットのパケットサイズがＭＴＵサイズより大きいと判定し、受信したパケットを廃棄する。
【００２３】
一方、他の装置がパケット通信装置１０にＶＬＡＮ  ＩＤ：２００、パケットサイズ：３００のＶＬＡＮパケットを送信すると、パケット受信ポート１１は、ＶＬＡＮパケットを受信する。次に、ＶＬＡＮ監視部１３は、受信したＶＬＡＮパケットのＶＬＡＮ  ＩＤを取得し、パケットサイズ監視部１４は、受信したＶＬＡＮパケットのパケットサイズを取得する。
【００２４】
次に、パケット転送処理部１２は、ＭＴＵサイズ設定部１５が記憶するＭＴＵテーブルに、個別のＶＬＡＮに対するＭＴＵサイズが設定されているか否かを判定する。
図２に示すように、ＭＴＵテーブルには個別のＶＬＡＮに対するＭＴＵサイズが設定されているため、パケット転送処理部１２は、ＶＬＡＮ監視部１３が取得したＶＬＡＮ  ＩＤに対応するＭＴＵサイズが設定されているか否かを判定する。
図２に示すように、ＶＬＡＮ  ＩＤ：２００はＭＴＵテーブルに格納されていないため、ＭＴＵテーブルから、共通のＭＴＵサイズ：１５００を取得する。
【００２５】
パケット転送処理部１２は、ＭＴＵサイズを取得すると、パケットサイズ監視部１４が取得したパケットサイズと取得したＭＴＵサイズとを比較する。このとき、受信したパケットのパケットサイズが３００、ＭＴＵサイズが１５００であるため、パケット転送処理部１２は、受信したパケットのパケットサイズがＭＴＵサイズ以下であると判定し、パケット送信ポート１６は、受信したＶＬＡＮパケットを転送する。
【００２６】
このように、本実施形態によれば、ＶＬＡＮ毎にＭＴＵサイズを設定し、受信したＶＬＡＮパケットのパケットサイズが、送信先のＶＬＡＮにおけるＭＴＵサイズ以下である場合にのみ転送処理を行う。これにより、誤配送された大きいサイズのＶＬＡＮパケットにより、本来不要な転送処理が発生することを防止することができる。
【００２７】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、パケット転送処理部１２が、受信したＶＬＡＮパケットのパケットサイズがＭＴＵサイズより大きいと判定した場合に、受信したＶＬＡＮパケットを廃棄する例を説明したが、これに限られず、パケットサイズがＭＴＵサイズより大きい場合に、受信したＶＬＡＮパケットをパケットサイズがＭＴＵサイズ以下となる複数のＶＬＡＮパケットに分割し、パケット送信ポートが、分割したパケットを転送しても良い。
【００２８】
上述のパケット通信装置１０は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２９】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３０】
１０…パケット通信装置  １１…パケット受信ポート  １２…パケット転送処理部  １３…ＶＬＡＮ監視部  １４…パケットサイズ監視部  １５…ＭＴＵサイズ設定部  １６…パケット送信ポート
【図１】
2010239293.tif 000003
【図２】
2010239293.tif 000004
【図３】
2010239293.tif 000005
【図４】
2010239293.tif 000006